(57)【要約】      （修正有）【課題】依頼者の近くで通話している者の端末を特定しやすくする。【解決手段】警告通知装置は、第１の携帯端末から無線基地局が受信する音信号と、音信号を無線基地局に送信する第１の携帯端末の識別情報を受信し、受信した識別情報と音信号とを対応付けて記憶しＳ７１１、無線基地局に在圏する第２の携帯端末から特定の音声信号を含む騒音判定依頼を受信した場合、記憶した音信号の中から特定の音声信号と照合する音を特定しＳ７１２、特定した音と、特定の音声信号とを照合し、照合した結果に基づいて第２の携帯端末に対して、警告通知を行うＳ７１９。【選択図】図７
2017163509.tif 000002
【特許請求の範囲】
【請求項１】
第１の携帯端末から無線基地局が受信する音信号と、前記音信号を前記無線基地局に送信する前記第１の携帯端末の識別情報を受信し、
受信した前記識別情報と前記音信号とを対応付けて記憶し、
前記無線基地局に在圏する第２の携帯端末から特定の音声信号を含む騒音判定依頼を受信した場合、記憶した前記音信号の中から前記特定の音声信号と照合する音を特定し、
特定した前記音と、前記特定の音声信号とを照合し、前記照合した結果に基づいて前記第２の携帯端末に対して、警告通知を行う、
ことを特徴とする警告通知装置。
【請求項２】
前記警告通知装置は、前記無線基地局にて位置登録している前記第２の携帯端末の識別情報を記憶する記憶部を有し、
前記第２の携帯端末の識別情報に基づいて、照合対象となる前記音を特定する
請求項１記載の警告通知装置。
【請求項３】
前記警告通知装置は、移動体通信網を介して１又は複数の無線基地局と接続している
請求項２記載の警告通知装置。
【請求項４】
前記音に基づく音量の時系列データの波形と、前記特定の音声信号に基づく音声量の時系列データの波形とを比較することによって照合を行う
請求項１乃至３のいずれか１つ記載の警告通知装置。
【請求項５】
通話中の１又は複数の通信端末から、通話音声情報を受信し、
特定の通信端末から、該特定の通信端末のマイクで集音された第１の音声情報を受信し、
前記１又は複数の通信端末の中から、前記第１の音声情報が示す音声波形に類似する音声波形を示す通話音声情報を送信した通信端末を特定し、
特定した前記通信端末を前記特定の通信端末の周辺に位置する通信端末と推定する、
隣接する通信端末の推定方法。
【請求項６】
通話中の１又は複数の通信端末から、通話音声情報を受信し、
特定の通信端末から、該特定の通信端末のマイクで集音された第１の音声情報を受信し、
前記１又は複数の通信端末の中から、前記第１の音声情報が示す音声波形に類似する音声波形を示す通話音声情報を送信した通信端末を特定し、
特定した前記通信端末から受信した前記通話音声情報が示す音量レベルに応じて、特定した前記通信端末を警告情報の送信対象の通信端末として選択する、
隣接する通信端末の推定方法。
【請求項７】
特定した前記通信端末から受信した前記通話音声情報が示す前記音量レベルの振れ幅が所定の基準を超える場合に、特定した前記通信端末を前記警告情報の送信対象の通信端末として選択する、
請求項６に記載の隣接する通信端末の推定方法。
【請求項８】
通話中の１又は複数の通信端末から、通話音声情報を受信し、
通信端末から、他の通信端末の通話音声に関するサービスリクエストと、該通信端末のマイクで集音された音声情報を受信し、
前記１又は複数の通信端末の中から、前記通信端末から受信した音声情報が示す音声波形に類似する音声波形を示す通話音声情報を送信した通信端末を特定し、
特定した前記通信端末について前記サービスリクエストに関するカウント値を更新し、
更新された前記カウント値が２以上の所定値以上となった場合に、特定した前記通信端末に対する通知を行う、
隣接する通信端末の推定方法。
【請求項９】
マイクと、
通話状態又は非通話状態において前記マイクで集音した音声情報と、前記音声情報に含まれる音声を通話音声として送信する他の通信端末に対する所定の通知の依頼を送信する送信部と、
を備えた、
ことを特徴とする通信端末。
【請求項１０】
第１の携帯端末から無線基地局が受信する音信号と、前記音信号を前記無線基地局に送信する前記第１の携帯端末の識別情報を受信し、
受信した前記識別情報と前記音信号とを対応付けて記憶し、
前記無線基地局に在圏する第２の携帯端末から特定の音声信号を含む騒音判定依頼を受信した場合、記憶した前記音信号の中から前記特定の音声信号と照合する音を特定し、
特定した前記音と、前記特定の音声信号とを照合し、前記照合した結果に基づいて前記第２の携帯端末に対して、警告通知を行う、
処理をコンピュータに実行させる警告通知プログラム。
【請求項１１】
第１の携帯端末から無線基地局が受信する音信号と、前記音信号を前記無線基地局に送信する前記第１の携帯端末の識別情報を受信し、
受信した前記識別情報と前記音信号とを対応付けて記憶し、
前記無線基地局に在圏する第２の携帯端末から特定の音声信号を含む騒音判定依頼を受信した場合、記憶した前記音信号の中から前記特定の音声信号と照合する音を特定し、
特定した前記音と、前記特定の音声信号とを照合し、前記照合した結果に基づいて前記第２の携帯端末に対して、警告通知を行う、
処理を含み、コンピュータにより実行される警告通知方法。
【請求項１２】
通話中の１又は複数の通信端末から、通話音声情報を受信し、
特定の通信端末から、該特定の通信端末のマイクで集音された第１の音声情報を受信し、
前記１又は複数の通信端末の中から、前記第１の音声情報が示す音声波形に類似する音声波形を示す通話音声情報を送信した通信端末を特定し、
特定した前記通信端末を前記特定の通信端末の周辺に位置する通信端末と推定する、
処理をコンピュータに実行させる、隣接する通信端末の推定プログラム。
【請求項１３】
通話中の１又は複数の通信端末から、通話音声情報を受信するとともに、
特定の通信端末から、該特定の通信端末のマイクで集音された第１の音声情報を受信する受信部と、
前記１又は複数の通信端末の中から、前記第１の音声情報が示す音声波形に類似する音声波形を示す通話音声情報を送信した通信端末を特定する特定部と、
特定した前記通信端末を前記特定の通信端末の周辺に位置する通信端末と推定する推定部と
を有する、隣接する通信端末の推定装置。
【請求項１４】
通話中の１又は複数の通信端末から、通話音声情報を受信し、
特定の通信端末から、該特定の通信端末のマイクで集音された第１の音声情報を受信し、
前記１又は複数の通信端末の中から、前記第１の音声情報が示す音声波形に類似する音声波形を示す通話音声情報を送信した通信端末を特定し、
特定した前記通信端末から受信した前記通話音声情報が示す音量レベルに応じて、特定した前記通信端末を警告情報の送信対象の通信端末として選択する、
処理をコンピュータに実行させる、隣接する通信端末の推定プログラム。
【請求項１５】
通話中の１又は複数の通信端末から、通話音声情報を受信するとともに、
特定の通信端末から、該特定の通信端末のマイクで集音された第１の音声情報を受信する受信部と、
前記１又は複数の通信端末の中から、前記第１の音声情報が示す音声波形に類似する音声波形を示す通話音声情報を送信した通信端末を特定する特定部と、
特定した前記通信端末から受信した前記通話音声情報が示す音量レベルに応じて、特定した前記通信端末を警告情報の送信対象の通信端末として選択する選択部と
を有する、隣接する通信端末の推定装置。
【請求項１６】
通話中の１又は複数の通信端末から、通話音声情報を受信し、
通信端末から、他の通信端末の通話音声に関するサービスリクエストと、該通信端末のマイクで集音された音声情報を受信し、
前記１又は複数の通信端末の中から、前記通信端末から受信した音声情報が示す音声波形に類似する音声波形を示す通話音声情報を送信した通信端末を特定し、
特定した前記通信端末について前記サービスリクエストに関するカウント値を更新し、
更新された前記カウント値が２以上の所定値以上となった場合に、特定した前記通信端末に対する通知を行う、
処理をコンピュータに実行させる、隣接する通信端末の推定プログラム。
【請求項１７】
通話中の１又は複数の通信端末から、通話音声情報を受信するとともに、
通信端末から、他の通信端末の通話音声に関するサービスリクエストと、該通信端末のマイクで集音された音声情報を受信する受信部と、
前記１又は複数の通信端末の中から、前記通信端末から受信した音声情報が示す音声波形に類似する音声波形を示す通話音声情報を送信した通信端末を特定する特定部と、
特定した前記通信端末について前記サービスリクエストに関するカウント値を更新する更新部と、
更新された前記カウント値が２以上の所定値以上となった場合に、特定した前記通信端末に対する通知を行う通知部と
を有する、隣接する通信端末の推定装置。
【請求項１８】
マイクを有する通信端末のプロセッサに、
通話状態又は非通話状態において前記マイクで集音した音声情報を生成し、
前記音声情報と、前記音声情報に含まれる音声を通話音声として送信する他の通信端末に対する所定の通知の依頼を送信する
処理を実行させる依頼方法。
【請求項１９】
マイクを有する通信端末のプロセッサに、
通話状態又は非通話状態において前記マイクで集音した音声情報を生成し、
前記音声情報と、前記音声情報に含まれる音声を通話音声として送信する他の通信端末に対する所定の通知の依頼を送信する
処理を実行させる依頼プログラム。
【発明の詳細な説明】
【技術分野】
【０００１】
本発明は、隣接する通信端末を推定する技術に関する。
【背景技術】
【０００２】
或る特許文献には、他者が電話をかけている際の話し声を迷惑に思うユーザからの依頼によって、周囲で通話している者の携帯電話端末に警告を行うサービスが開示されている。具体的には、周囲の通話者の携帯電話端末に通話音声の大きさを計測させ、通話音声の大きさを収集して警告対象を特定する。
【０００３】
つまり、周囲の携帯電話端末が、外部からの要求に応じて自らの通話音声を計測し、応答することが前提となっている。
【０００４】
従って、この技術によれば、周囲の携帯電話端末がこのサービスに応じない場合には、警告対象となる携帯電話端末を特定することができない。
【先行技術文献】
【特許文献】
【０００５】
【特許文献１】特開２００６−６７２４０号公報
【特許文献２】特開２００１−２６８１６８号公報
【特許文献３】特開２００８−９４２２８号公報
【発明の概要】
【発明が解決しようとする課題】
【０００６】
本発明の目的は、一側面では、依頼者の近くで通話している者の端末を特定しやすくすることである。
【課題を解決するための手段】
【０００７】
一態様に係る警告通知装置は、（Ａ）第１の携帯端末から無線基地局が受信する音信号と、音信号を無線基地局に送信する第１の携帯端末の識別情報を受信し、（Ｂ）受信した識別情報と音信号とを対応付けて記憶し、（Ｃ）無線基地局に在圏する第２の携帯端末から特定の音声信号を含む騒音判定依頼を受信した場合、記憶した音信号の中から特定の音声信号と照合する音を特定し、（Ｄ）特定した音と、特定の音声信号とを照合し、照合した結果に基づいて第２の携帯端末に対して、警告通知を行う。
【０００８】
一態様に係る、隣接する通信端末の推定方法は、（Ｅ）通話中の１又は複数の通信端末から、通話音声情報を受信し、（Ｆ）特定の通信端末から、該特定の通信端末のマイクで集音された第１の音声情報を受信し、（Ｇ）１又は複数の通信端末の中から、第１の音声情報が示す音声波形に類似する音声波形を示す通話音声情報を送信した通信端末を特定し、（Ｈ）特定した通信端末を特定の通信端末の周辺に位置する通信端末と推定する。
【０００９】
一態様に係る、隣接する通信端末の推定方法は、（Ｉ）通話中の１又は複数の通信端末から、通話音声情報を受信し、（Ｊ）特定の通信端末から、該特定の通信端末のマイクで集音された第１の音声情報を受信し、（Ｋ）１又は複数の通信端末の中から、第１の音声情報が示す音声波形に類似する音声波形を示す通話音声情報を送信した通信端末を特定し、（Ｌ）特定した通信端末から受信した通話音声情報が示す音量レベルに応じて、特定した通信端末を警告情報の送信対象の通信端末として選択する。
【００１０】
一態様に係る、隣接する通信端末の推定方法は、（Ｍ）通話中の１又は複数の通信端末から、通話音声情報を受信し、（Ｎ）通信端末から、他の通信端末の通話音声に関するサービスリクエストと、該通信端末のマイクで集音された音声情報を受信し、（Ｏ）１又は複数の通信端末の中から、通信端末から受信した音声情報が示す音声波形に類似する音声波形を示す通話音声情報を送信した通信端末を特定し、（Ｐ）特定した通信端末についてサービスリクエストに関するカウント値を更新し、（Ｑ）更新されたカウント値が２以上の所定値以上となった場合に、特定した通信端末に対する通知を行う。
【発明の効果】
【００１１】
一側面としては、依頼者の近くで通話している者の端末を特定しやすい。
【図面の簡単な説明】
【００１２】
【図１】図１は、ネットワーク構成例を示す図である。
【図２】図２は、携帯電話端末のモジュール構成例を示す図である。
【図３】図３は、無線基地局のモジュール構成例を示す図である。
【図４】図４は、サーバ装置のモジュール構成例を示す図である。
【図５】図５は、運用シーケンスを示す図である。
【図６】図６は、通話シーケンスを示す図である。
【図７】図７は、警告シーケンスを示す図である。
【図８】図８は、警告処理（Ａ）フローを示す図である。
【図９】図９は、警告処理（Ｂ）フローを示す図である。
【図１０】図１０は、警告処理（Ｃ）フローを示す図である。
【図１１】図１１は、携帯電話端末のハードウエア構成例を示す図である。
【図１２】図１２は、コンピュータの機能ブロック図である。
【発明を実施するための形態】
【００１３】
［実施の形態１］
図１に、ネットワーク構成例を示す。移動体通信網は、１又は複数の無線基地局１０３を有する。携帯電話端末１０１は、近くの無線基地局１０３を介して移動体通信網に接続する。この例では、携帯電話端末１０１ａ乃至ｄが、無線基地局１０３ａを介して移動体通信網に接続する。つまり、携帯電話端末１０１ａ乃至ｄは、無線基地局１０３ａの通信領域の中に存在する。そして、携帯電話端末１０１ｃのユーザが通話中であって、携帯電話端末１０１ｂのユーザは、その声が煩いと感じているものとする。
【００１４】
移動体通信網に接続されているサーバ装置１０５は、携帯電話端末１０１ｂのユーザからの依頼に応じて、携帯電話端末１０１ｃのユーザに警告する。具体的には、携帯電話端末１０１ｂのユーザは、携帯電話端末１０１ｂのマイクから携帯電話端末１０１ｃのユーザの声を入力し、当該声で通話動作中の携帯電話端末１０１ｃに警告するように依頼する。サーバ装置１０５は、各携帯電話端末１０１における通話音を収集し、警告依頼を受け付けた場合に、通話音を照合して、警告対象となる携帯電話端末１０１を特定する。そして、当該携帯電話端末１０１に警告を送信する。
【００１５】
図２に、携帯電話端末１０１のモジュール構成例を示す。携帯電話端末１０１は、第１送信部２０１、第１受信部２０３、第１制御部２０５、通話部２０７、受付部２０９、生成部２１１、出力部２１３及びマイク２２１を有する。
【００１６】
第１送信部２０１は、各種情報を送信する。第１受信部２０３は、各種情報を受信する。第１制御部２０５は、例えば無線基地局１０３の探索を行う。通話部２０７は、通話処理を行う。受付部２０９は、ユーザ操作を受け付ける。生成部２１１は、外部音声を変換した音声信号を生成する。出力部２１３は、警告通知に含まれるメッセージを出力する。マイク２２１は、通話において話者の発声音を入力するために用いられる他に、周囲の音を入力するために用いられる。
【００１７】
上述した第１送信部２０１、第１受信部２０３、第１制御部２０５、通話部２０７、受付部２０９、生成部２１１及び出力部２１３は、ハードウエア資源（例えば、図１１）と、以下で述べる処理をプロセッサに実行させるプログラムとを用いて実現される。
【００１８】
図３に、無線基地局１０３のモジュール構成例を示す。無線基地局１０３は、第２送信部３０１、第２受信部３０３、第２制御部３０５、登録部３０７、転送部３０９、抽出部３１１、付加部３１３及び管理テーブル記憶部３２１を有する。
【００１９】
第２送信部３０１は、各種情報を送信する。第２受信部３０３は、各種情報を受信する。第２制御部３０５は、例えば通話の制御を行う。登録部３０７は、当該無線基地局１０３の信領域内に存在する携帯電話端末１０１を管理テーブルに登録する。転送部３０９は、携帯電話端末ＩＤと通話音声情報とをサーバ装置１０５へ転送する。抽出部３１１は、管理テーブルに登録されている携帯電話端末ＩＤを抽出する。付加部３１３は、警告通知に使用制限の指示を付加する。管理テーブル記憶部３２１は、管理テーブルを記憶する。管理テーブルには、当該無線基地局１０３の通信領域内に存在する携帯電話端末１０１のＩＤが登録される。
【００２０】
上述した第２送信部３０１、第２受信部３０３、第２制御部３０５、登録部３０７、転送部３０９、抽出部３１１及び付加部３１３は、ハードウエア資源（例えば、図１２）と、以下で述べる処理をプロセッサに実行させるプログラムとを用いて実現される。
【００２１】
上述した管理テーブル記憶部３２１は、ハードウエア資源（例えば、図１２）を用いて実現される。
【００２２】
図４に、サーバ装置１０５のモジュール構成例を示す。サーバ装置１０５は、第３送信部４０１、第３受信部４０３、記憶処理部４０５、特定部４０７、推定部４０９、選択部４１１、通知部４１３、更新部４１５、通話記憶部４２１、推定テーブル記憶部４２３、カウントテーブル記憶部４２５及び端末ＩＤ記憶部４２７を有する。
【００２３】
第３送信部４０１は、各種情報を送信する。第３受信部４０３は、各種情報を受信する。記憶処理部４０５は、受信した携帯電話端末ＩＤを端末ＩＤ記憶部４２７に記憶する。特定部４０７は、照合対象の通話音声情報を特定する。推定部４０９は、依頼元の携帯電話端末１０１の周辺に位置する携帯電話端末１０１を推定する。選択部４１１は、警告対象となる携帯電話端末１０１を特定する。通知部４１３は、警告通知を行う。更新部４１５は、依頼元の携帯電話端末１０１の周辺に位置すると推定された回数を更新する。
【００２４】
通話記憶部４２１は、携帯電話端末１０１のＩＤと通話音声情報（通話時の発声声を変換した音信号）とを対応付けて記憶する。推定テーブル記憶部４２３は、推定テーブルを記憶する。推定テーブルには、依頼元の携帯電話端末１０１と、当該携帯電話端末１０１の周辺に位置すると推定された携帯電話端末１０１とを対応付ける推定レコードを含む。カウントテーブル記憶部４２５は、カウントテーブルを記憶する。カウントテーブルは、依頼者の周辺に位置すると推定された携帯電話端末１０１について、同一又は別の者による依頼を受けて同様に周辺に位置すると推定された回数をカウントするために用いられる。つまり、カウントテーブルのレコードには、携帯電話端末１０１のＩＤに対応付けてカウント値が設定される。端末ＩＤ記憶部４２７は、通話音声の照合対象となる携帯電話端末１０１のＩＤを記憶する。
【００２５】
上述した第３送信部４０１、第３受信部４０３、記憶処理部４０５、特定部４０７、推定部４０９、選択部４１１、通知部４１３及び更新部４１５は、ハードウエア資源（例えば、図１２）と、以下で述べる処理をプロセッサに実行させるプログラムとを用いて実現される。
【００２６】
上述した通話記憶部４２１、推定テーブル記憶部４２３、カウントテーブル記憶部４２５及び端末ＩＤ記憶部４２７は、ハードウエア資源（例えば、図１２）を用いて実現される。
【００２７】
以下、シーケンスについて説明する。図５に、運用シーケンスを示す。無線基地局１０３の第２制御部３０５は、第２送信部３０１に第１制御信号（例えば、ビーコン信号）を送信させる（Ｓ５０１）。
【００２８】
携帯電話端末１０１ａの第１制御部２０５は、第１受信部２０３に第１制御信号の受信レベルを計測させる（Ｓ５０３）。受信レベルに応じて、携帯電話端末１０１ａの第１制御部２０５は無線基地局１０３を特定する（Ｓ５０５）。携帯電話端末１０１ａの第１制御部２０５は、第１送信部２０１に第２制御信号（当該携帯電話端末１０１ａのＩＤを含む。）を送信させる（Ｓ５０７）。
【００２９】
無線基地局１０３の第２受信部３０３が第２制御信号を受信すると、登録部３０７は、管理テーブルに第２制御信号の送信元である携帯電話端末１０１ａのＩＤを登録する（Ｓ５０９）。携帯電話端末１０１ｂ乃至携帯電話端末１０１ｄについても、同様に処理される。
【００３０】
図６に、通話シーケンスを示す。この例では、携帯電話端末１０１ａ、携帯電話端末１０１ｃ及び携帯電話端末１０１ｄが通話を開始すると想定する。携帯電話端末１０１ａの通話部２０７が通話処理を開始すると（Ｓ６０１）、無線基地局１０３の第２制御部３０５は、携帯電話端末１０１ａのＩＤを特定し、携帯電話端末１０１ａと相手との通話を制御する（Ｓ６０３）。
【００３１】
携帯電話端末１０１ａの第１送信部２０１が通話音声情報を送信すると（Ｓ６０５）、無線基地局１０３の転送部３０９は、携帯電話端末１０１ａのＩＤと通話音声情報とをサーバ装置１０５へ転送する（Ｓ６０７）。
【００３２】
サーバ装置１０５の第３受信部４０３が携帯電話端末１０１ａのＩＤと通話音声情報とを受信すると、サーバ装置１０５の記憶処理部４０５は携帯電話端末１０１ａのＩＤと通話音声情報とを対応付けて通話記憶部４２１に記憶する（Ｓ６０９）。
【００３３】
同様に、携帯電話端末１０１ｃの通話部２０７が通話処理を開始すると（Ｓ６１１）、無線基地局１０３の第２制御部３０５は、携帯電話端末１０１ｃのＩＤを特定し、携帯電話端末１０１ｃと相手との通話を制御する（Ｓ６０３）。
【００３４】
携帯電話端末１０１ｃの第１送信部２０１が通話音声情報を送信すると（Ｓ６１３）、無線基地局１０３の転送部３０９は、携帯電話端末１０１ｃのＩＤと通話音声情報とをサーバ装置１０５へ転送する（Ｓ６０７）。
【００３５】
サーバ装置１０５の第３受信部４０３が携帯電話端末１０１ｃのＩＤと通話音声情報とを受信すると、サーバ装置１０５の記憶処理部４０５は携帯電話端末１０１ｃのＩＤと通話音声情報とを対応付けて通話記憶部４２１に記憶する（Ｓ６０９）。
【００３６】
同様に、携帯電話端末１０１ｄの通話部２０７が通話処理を開始すると（Ｓ６１５）、無線基地局１０３の第２制御部３０５は、携帯電話端末１０１ｄのＩＤを特定し、携帯電話端末１０１ｄと相手との通話を制御する（Ｓ６０３）。
【００３７】
携帯電話端末１０１ｄの第１送信部２０１が通話音声情報を送信すると（Ｓ６１７）、無線基地局１０３の転送部３０９は、携帯電話端末１０１ｄのＩＤと通話音声情報とをサーバ装置１０５へ転送する（Ｓ６０７）。
【００３８】
サーバ装置１０５の第３受信部４０３が携帯電話端末１０１ｄのＩＤと通話音声情報とを受信すると、サーバ装置１０５の記憶処理部４０５は携帯電話端末１０１ｄのＩＤと通話音声情報とを対応付けて通話記憶部４２１に記憶する（Ｓ６０９）。
【００３９】
図７に、警告シーケンスを示す。携帯電話端末１０１ｂの受付部２０９が所定操作を受け付けると（Ｓ７０１）、携帯電話端末１０１ｂの生成部２１１は、通話状態又は非通話状態のいずれであっても、マイク２２１で集音した外部音声の情報（警告対象者の発生声を含む外部音声を変換した音声信号）を生成する（Ｓ７０２）。携帯電話端末１０１ｂの第１送信部２０１は、外部音声情報を含む通知依頼をサーバ装置１０５に向けて送信する（Ｓ７０３）。通知依頼は、警告の通知を依頼するものであるが、騒音の判定を依頼する面や端末の特定を依頼する面もある。
【００４０】
無線基地局１０３の転送部３０９が通知依頼を転送すると（Ｓ７０５）、サーバ装置１０５の第３受信部４０３は、通知依頼を受信する（Ｓ７０７）。
【００４１】
更に、無線基地局１０３の抽出部３１１は、当該無線基地局１０３の管理テーブルに登録されている携帯電話端末ＩＤを抽出し、第２送信部３０１は、抽出した携帯電話端末ＩＤをサーバ装置１０５へ送信する（Ｓ７０９）。
【００４２】
サーバ装置１０５の第３受信部４０３が携帯電話端末ＩＤを受信すると、記憶処理部４０５は、受信した携帯電話端末ＩＤを端末ＩＤ記憶部４２７に記憶する（Ｓ７１１）。そして、サーバ装置１０５の特定部４０７は、照合対象の通話音声情報を特定する（Ｓ７１２）。具体的には、端末ＩＤ記憶部４２７に記憶した携帯電話端末ＩＤに対応する通話音声情報を通話記憶部４２１から読み出す。
【００４３】
サーバ装置１０５の特定部４０７は、外部音声情報が示す音声波形に類似する音声波形を示す通話音声情報を特定する（Ｓ７１３）。具体的には、通話音声情報に基づく音量の時系列データの波形と、外部音声情報に基づく音声量の時系列データの波形とを比較することによって照合が行われる。
【００４４】
サーバ装置１０５の特定部４０７は、Ｓ７１３において特定した当該通話音声情報を送信した携帯電話端末１０１を特定する（Ｓ７１５）。具体的には、通話記憶部４２１において当該通話音声情報に対応付けられている携帯電話端末ＩＤが特定される。
【００４５】
サーバ装置１０５の推定部４０９は、推定レコードを追加する（Ｓ７１７）。このとき、Ｓ７１５で特定された携帯電話端末１０１は、依頼元の携帯電話端末１０１の周辺に位置すると推定される。
【００４６】
サーバ装置１０５は、警告処理を実行する（Ｓ７１９）。警告処理の詳細については、後述する。警告処理において警告対象の携帯電話端末１０１が選択されると、サーバ装置１０５の第３送信部４０１は、警告通知を当該携帯電話端末１０１へ送信する。
【００４７】
そして、無線基地局１０３の転送部３０９は、当該携帯電話端末１０１に対して警告通知を転送する（Ｓ７２１）。警告通知は、例えば音声或いは表示によって通話時の発声音が大きいことを注意するメッセージを含む。無線基地局１０３の付加部３１３は、携帯電話端末１０１における使用制限の指示を付加してもよい。携帯電話端末１０１ｃの第１受信部２０３は、警告通知を受信して、出力部２１３は、警告通知に含まれるメッセージを出力する（Ｓ７２３）。携帯電話端末１０１ｃは、指示に従って使用制限（例えば、電源ＯＦＦ）を行うようにしてもよい。
【００４８】
警告処理について説明する。本実施の形態では、警告処理（Ａ）を実行する。図８に、警告処理（Ａ）フローを示す。サーバ装置１０５の選択部４１１は、図７のＳ７１３で特定した通話音声情報における最大音量を特定する（Ｓ８０１）。サーバ装置１０５の選択部４１１は、同じく最小音量も特定する（Ｓ８０３）。そして、サーバ装置１０５の選択部４１１は、音量レベルの振れ幅（音量差又は音量比）を算出する（Ｓ８０５）。音量差は、最大音量から最小音量を引いた差である。音量比は、最大音量を最小音量で除した商である。
【００４９】
尚、最大音量は、通話に係る発音声の大きさに相当する。最小音量は、通話時における環境音の大きさに相当する。音量差又は音量比が大きければ、話者の声の大きさが周辺において際立っていると想定される。一方、音量差又は音量比が小さければ、話者の声の大きさは突出していないと想定される。
【００５０】
サーバ装置１０５の選択部４１１は、音量レベルの振れ幅が閾値を超えたか否かを判定する（Ｓ８０７）。音量レベルの振れ幅が閾値を超えたと判定した場合には、サーバ装置１０５の選択部４１１は、図７のＳ７１５で特定した携帯電話端末１０１を警告対象として選択する（Ｓ８０９）。そして、サーバ装置１０５の通知部４１３は、第３送信部４０１に警告対象の携帯電話端末１０１宛ての警告通知を送信させ（Ｓ８１１）、警告処理を終える。
【００５１】
一方、音量レベルの振れ幅が閾値を超えていないと判定した場合には、サーバ装置１０５の選択部４１１は、図７のＳ７１５で特定した携帯電話端末１０１を警告対象として選択せずに（Ｓ８１３）、そのまま警告処理を終える。
【００５２】
本実施の形態によれば、依頼者の近くにいる通話者の端末を特定しやすい。例えば、周りの雑音状況に応じて、騒がしい通話者の通信端末を特定することができる。
【００５３】
更に、状況に応じて通話時の発声音に関する警告を行うことができる。
【００５４】
［実施の形態２］
上述した実施の形態では、音量レベルの振れ幅に基づいて警告対象を選択する例について説明したが、本実施の形態では、依頼元の携帯電話端末１０１の周辺に位置すると推定された回数に基づいて警告対象を選択する。
【００５５】
例えば、多くの携帯電話端末１０１から通知依頼の対象とされた場合には、周囲に迷惑をかけている可能性が高い。このような場合には、警告対象として選択することが妥当である。
【００５６】
本実施の形態で、サーバ装置１０５は、警告処理（Ａ）に代えて、警告処理（Ｂ）を実行する。図９に、警告処理（Ｂ）フローを示す。サーバ装置１０５の更新部４１５は、Ｓ７１５で特定された携帯電話端末１０１に対応するカウント値に１加算する（Ｓ９０１）。サーバ装置１０５の通知部４１３は、カウント値が２以上の所定値に達したか否かを判定する（Ｓ９０３）。カウント値が２以上の所定値に達したと判定した場合には、サーバ装置１０５の通知部４１３は、図７のＳ７１５で特定した携帯電話端末１０１を警告対象として選択する（Ｓ９０５）。そして、サーバ装置１０５の通知部４１３は、第３送信部４０１に警告対象の携帯電話端末１０１宛ての警告通知を送信させ（Ｓ９０７）、警告処理を終える。
【００５７】
一方、カウント値が２以上の所定値に達していないと判定した場合には、サーバ装置１０５の通知部４１３は、図７のＳ７１５で特定した携帯電話端末１０１を警告対象として選択せずに（Ｓ９０９）、そのまま警告処理を終える。
【００５８】
本実施の形態によれば、近くの通信端末から多く特定依頼された通信端末に通知を行える。
【００５９】
［実施の形態３］
警告処理（Ａ）と警告処理（Ｂ）を組み合わせるようにしてもよい。
【００６０】
本実施の形態で、サーバ装置１０５は、警告処理（Ｃ）を実行する。図１０に、警告処理（Ｃ）フローを示す。Ｓ８０１乃至Ｓ８１１の処理は、警告処理（Ａ）の場合と同様である。Ｓ８０７において、音量レベルの振れ幅が閾値を超えていないと判定した場合には、警告処理（Ｂ）を実行する（Ｓ１００１）。
【００６１】
尚、図７のＳ７１５で特定した携帯電話端末１０１を、すべて警告対象としてもよい。
【００６２】
図１１に、携帯電話端末１０１のハードウエア構成例を示す。携帯電話端末１０１は、プロセッサ１１０１、記憶部１１０３、アンテナ１１１１、無線制御部１１１３、オーディオ制御部１１１５、スピーカ１１１７、マイク１１１９、ディスプレイ１１２１、タッチセンサ１１２３、カメラ１１２５及びＧＰＳ（Global Positioning System）装置１１２７を有している。
【００６３】
プロセッサ１１０１は、モデムＣＰＵ（Central Processing Unit）とアプリケーションＣＰＵからなることもある。記憶部１１０３は、例えば、ＲＯＭ（Read Only Memory）１１０５とＲＡＭ（Random Access Memory）１１０７とフラッシュメモリ１１０９を有している。ＲＯＭ１１０５は、例えば、予め設定されているデータやプログラムを格納している。ＲＡＭ１１０７は、例えば、アプリケーションなどのプログラムやデータを展開する領域を含んでいる。フラッシュメモリ１１０９は、例えば、オペレーティングシステムやアプリケーションなどのプログラムを格納しており、更に随時データを格納する。
【００６４】
タッチセンサ１１２３は、例えば、ディスプレイ１１２１の表示面上に配置されたパネル状のセンサであり、タッチ操作を受け付ける。ディスプレイ１１２１は、例えば、アプリケーションが表示させる各種画面を表示する。具体的には、ディスプレイ１１２１とタッチセンサ１１２３とを一体としたタッチパネルとして用いられる。タッチセンサ１１２３へのタッチ操作によって、タッチイベントが発生する。タッチセンサ１１２３の他に、キーを設けるようにしてもよい。
【００６５】
アンテナ１１１１は、例えばセルラー方式の無線データを受信する。無線制御部１１１３は、無線通信の制御を行う。無線通信の制御により、電話の音声通信やデータ通信が行われる。
【００６６】
オーディオ制御部１１１５は、音データに関するアナログ／デジタル変換とデジタル／アナログ変換を行う。スピーカ１１１７は、アナログデータを音として出力する。マイク１１１９は、音をアナログデータに変換する。
【００６７】
カメラ１１２５は、動画や写真画像の撮影に用いられる。ＧＰＳ装置１１２７は、位置を計測する。
【００６８】
以上本発明の実施の形態を説明したが、本発明はこれに限定されるものではない。例えば、上述の機能ブロック構成はプログラムモジュール構成に一致しない場合もある。
【００６９】
また、上で説明した各記憶領域の構成は一例であって、上記のような構成でなければならないわけではない。さらに、処理フローにおいても、処理結果が変わらなければ、処理の順番を入れ替えることや複数の処理を並列に実行させるようにしても良い。
【００７０】
なお、上で述べたサーバ装置１０５は、コンピュータ装置であって、図１２に示すように、メモリ２５０１とＣＰＵ２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティングシステム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【００７１】
以上述べた本発明の実施の形態をまとめると、以下のようになる。
【００７２】
本実施の形態に係る警告通知装置は、（Ａ）第１の携帯端末から無線基地局が受信する音信号と、音信号を無線基地局に送信する第１の携帯端末の識別情報を受信し、（Ｂ）受信した識別情報と音信号とを対応付けて記憶し、（Ｃ）無線基地局に在圏する第２の携帯端末から特定の音声信号を含む騒音判定依頼を受信した場合、記憶した音信号の中から特定の音声信号と照合する音を特定し、（Ｄ）特定した音と、特定の音声信号とを照合し、照合した結果に基づいて第２の携帯端末に対して、警告通知を行う。
【００７３】
このようにすれば、依頼者の近くにいる通話者の端末を特定しやすい。更に、状況に応じて通話時の音声に関する警告を行うことができる。
【００７４】
更に、警告通知装置は、無線基地局にて位置登録している第２の携帯端末の識別情報を記憶する記憶部を有するようにしてもよい。また、第２の携帯端末の識別情報に基づいて、照合対象となる音を特定するようにしてもよい。
【００７５】
このようにすれば、無用な照合を行わなくて済む。
【００７６】
更に、警告通知装置は、移動体通信網を介して１又は複数の無線基地局と接続していてもよい。
【００７７】
このようにすれば、移動体通信網を利用しているユーザに警告通知サービスを提供することができる。
【００７８】
更に、音に基づく音量の時系列データの波形と、特定の音声信号に基づく音声量の時系列データの波形とを比較することによって照合を行うようにしてもよい。
【００７９】
このようにすれば、音量の変化に応じて所定の音声を抽出することができる。
【００８０】
本実施の形態に係る、隣接する通信端末の推定方法は、（Ｅ）通話中の１又は複数の通信端末から、通話音声情報を受信し、（Ｆ）特定の通信端末から、該特定の通信端末のマイクで集音された第１の音声情報を受信し、（Ｇ）１又は複数の通信端末の中から、第１の音声情報が示す音声波形に類似する音声波形を示す通話音声情報を送信した通信端末を特定し、（Ｈ）特定した通信端末を特定の通信端末の周辺に位置する通信端末と推定する。
【００８１】
このようにすれば、特定の通信端末の近くにある他の通信端末を特定しやすい。
【００８２】
本実施の形態に係る、隣接する通信端末の推定方法は、（Ｉ）通話中の１又は複数の通信端末から、通話音声情報を受信し、（Ｊ）特定の通信端末から、該特定の通信端末のマイクで集音された第１の音声情報を受信し、（Ｋ）１又は複数の通信端末の中から、第１の音声情報が示す音声波形に類似する音声波形を示す通話音声情報を送信した通信端末を特定し、（Ｌ）特定した通信端末から受信した通話音声情報が示す音量レベルに応じて、特定した通信端末を警告情報の送信対象の通信端末として選択する。
【００８３】
このようにすれば、特定の通信端末の近くにある他の通信端末のうち、騒がしい通話者の通信端末を特定しやすい。
【００８４】
更に、特定した通信端末から受信した通話音声情報が示す音量レベルの振れ幅が所定の基準を超える場合に、特定した通信端末を警告情報の送信対象の通信端末として選択するようにしてもよい。
【００８５】
このようにすれば、周りの雑音状況に応じて、騒がしい通話者の通信端末を特定することができる。
【００８６】
本実施の形態に係る、隣接する通信端末の推定方法は、（Ｍ）通話中の１又は複数の通信端末から、通話音声情報を受信し、（Ｎ）通信端末から、他の通信端末の通話音声に関するサービスリクエストと、該通信端末のマイクで集音された音声情報を受信し、（Ｏ）１又は複数の通信端末の中から、通信端末から受信した音声情報が示す音声波形に類似する音声波形を示す通話音声情報を送信した通信端末を特定し、（Ｐ）特定した通信端末についてサービスリクエストに関するカウント値を更新し、（Ｑ）更新されたカウント値が２以上の所定値以上となった場合に、特定した通信端末に対する通知を行う。
【００８７】
このようにすれば、近くの通信端末から多く特定依頼された通信端末に通知を行える。
【００８８】
本実施の形態に係る通信端末は、（Ｒ）マイクと、（Ｓ）通話状態又は非通話状態においてマイクで集音した音声情報と、音声情報に含まれる音声を通話音声として送信する他の通信端末に対する所定の通知の依頼を送信する送信部とを備える。
【００８９】
このようにすれば、他の通信端末に対する所定の通知を依頼しやすい。尚、所定の通知は、迷惑通知以外の通知であってもよい。
【００９０】
なお、上で述べた警告通知装置の処理をコンピュータに行わせるためのプログラム及び通信端末の処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【００９１】
以上の実施例を含む実施形態に関し、さらに以下の付記を開示する。
【００９２】
（付記１）
第１の携帯端末から無線基地局が受信する音信号と、前記音信号を前記無線基地局に送信する前記第１の携帯端末の識別情報を受信し、
受信した前記識別情報と前記音信号とを対応付けて記憶し、
前記無線基地局に在圏する第２の携帯端末から特定の音声信号を含む騒音判定依頼を受信した場合、記憶した前記音信号の中から前記特定の音声信号と照合する音を特定し、
特定した前記音と、前記特定の音声信号とを照合し、前記照合した結果に基づいて前記第２の携帯端末に対して、警告通知を行う、
ことを特徴とする警告通知装置。
【００９３】
（付記２）
前記警告通知装置は、前記無線基地局にて位置登録している前記第２の携帯端末の識別情報を記憶する記憶部を有し、
前記第２の携帯端末の識別情報に基づいて、照合対象となる前記音を特定する
付記１記載の警告通知装置。
【００９４】
（付記３）
前記警告通知装置は、移動体通信網を介して１又は複数の無線基地局と接続している
付記２記載の警告通知装置。
【００９５】
（付記４）
前記音に基づく音量の時系列データの波形と、前記特定の音声信号に基づく音声量の時系列データの波形とを比較することによって照合を行う
付記１乃至３のいずれか１つ記載の警告通知装置。
【００９６】
（付記５）
通話中の１又は複数の通信端末から、通話音声情報を受信し、
特定の通信端末から、該特定の通信端末のマイクで集音された第１の音声情報を受信し、
前記１又は複数の通信端末の中から、前記第１の音声情報が示す音声波形に類似する音声波形を示す通話音声情報を送信した通信端末を特定し、
特定した前記通信端末を前記特定の通信端末の周辺に位置する通信端末と推定する、
隣接する通信端末の推定方法。
【００９７】
（付記６）
通話中の１又は複数の通信端末から、通話音声情報を受信し、
特定の通信端末から、該特定の通信端末のマイクで集音された第１の音声情報を受信し、
前記１又は複数の通信端末の中から、前記第１の音声情報が示す音声波形に類似する音声波形を示す通話音声情報を送信した通信端末を特定し、
特定した前記通信端末から受信した前記通話音声情報が示す音量レベルに応じて、特定した前記通信端末を警告情報の送信対象の通信端末として選択する、
隣接する通信端末の推定方法。
【００９８】
（付記７）
特定した前記通信端末から受信した前記通話音声情報が示す前記音量レベルの振れ幅が所定の基準を超える場合に、特定した前記通信端末を前記警告情報の送信対象の通信端末として選択する、
付記６に記載の隣接する通信端末の推定方法。
【００９９】
（付記８）
通話中の１又は複数の通信端末から、通話音声情報を受信し、
通信端末から、他の通信端末の通話音声に関するサービスリクエストと、該通信端末のマイクで集音された音声情報を受信し、
前記１又は複数の通信端末の中から、前記通信端末から受信した音声情報が示す音声波形に類似する音声波形を示す通話音声情報を送信した通信端末を特定し、
特定した前記通信端末について前記サービスリクエストに関するカウント値を更新し、
更新された前記カウント値が２以上の所定値以上となった場合に、特定した前記通信端末に対する通知を行う、
隣接する通信端末の推定方法。
【０１００】
（付記９）
マイクと、
通話状態又は非通話状態において前記マイクで集音した音声情報と、前記音声情報に含まれる音声を通話音声として送信する他の通信端末に対する所定の通知の依頼を送信する送信部と、
を備えた、
ことを特徴とする通信端末。
【０１０１】
（付記１０）
第１の携帯端末から無線基地局が受信する音信号と、前記音信号を前記無線基地局に送信する前記第１の携帯端末の識別情報を受信し、
受信した前記識別情報と前記音信号とを対応付けて記憶し、
前記無線基地局に在圏する第２の携帯端末から特定の音声信号を含む騒音判定依頼を受信した場合、記憶した前記音信号の中から前記特定の音声信号と照合する音を特定し、
特定した前記音と、前記特定の音声信号とを照合し、前記照合した結果に基づいて前記第２の携帯端末に対して、警告通知を行う、
処理をコンピュータに実行させる警告通知プログラム。
【０１０２】
（付記１１）
第１の携帯端末から無線基地局が受信する音信号と、前記音信号を前記無線基地局に送信する前記第１の携帯端末の識別情報を受信し、
受信した前記識別情報と前記音信号とを対応付けて記憶し、
前記無線基地局に在圏する第２の携帯端末から特定の音声信号を含む騒音判定依頼を受信した場合、記憶した前記音信号の中から前記特定の音声信号と照合する音を特定し、
特定した前記音と、前記特定の音声信号とを照合し、前記照合した結果に基づいて前記第２の携帯端末に対して、警告通知を行う、
処理を含み、コンピュータにより実行される警告通知方法。
【０１０３】
（付記１２）
通話中の１又は複数の通信端末から、通話音声情報を受信し、
特定の通信端末から、該特定の通信端末のマイクで集音された第１の音声情報を受信し、
前記１又は複数の通信端末の中から、前記第１の音声情報が示す音声波形に類似する音声波形を示す通話音声情報を送信した通信端末を特定し、
特定した前記通信端末を前記特定の通信端末の周辺に位置する通信端末と推定する、
処理をコンピュータに実行させる、隣接する通信端末の推定プログラム。
【０１０４】
（付記１３）
通話中の１又は複数の通信端末から、通話音声情報を受信するとともに、
特定の通信端末から、該特定の通信端末のマイクで集音された第１の音声情報を受信する受信部と、
前記１又は複数の通信端末の中から、前記第１の音声情報が示す音声波形に類似する音声波形を示す通話音声情報を送信した通信端末を特定する特定部と、
特定した前記通信端末を前記特定の通信端末の周辺に位置する通信端末と推定する推定部と
を有する、隣接する通信端末の推定装置。
【０１０５】
（付記１４）
通話中の１又は複数の通信端末から、通話音声情報を受信し、
特定の通信端末から、該特定の通信端末のマイクで集音された第１の音声情報を受信し、
前記１又は複数の通信端末の中から、前記第１の音声情報が示す音声波形に類似する音声波形を示す通話音声情報を送信した通信端末を特定し、
特定した前記通信端末から受信した前記通話音声情報が示す音量レベルに応じて、特定した前記通信端末を警告情報の送信対象の通信端末として選択する、
処理をコンピュータに実行させる、隣接する通信端末の推定プログラム。
【０１０６】
（付記１５）
通話中の１又は複数の通信端末から、通話音声情報を受信するとともに、
特定の通信端末から、該特定の通信端末のマイクで集音された第１の音声情報を受信する受信部と、
前記１又は複数の通信端末の中から、前記第１の音声情報が示す音声波形に類似する音声波形を示す通話音声情報を送信した通信端末を特定する特定部と、
特定した前記通信端末から受信した前記通話音声情報が示す音量レベルに応じて、特定した前記通信端末を警告情報の送信対象の通信端末として選択する選択部と
を有する、隣接する通信端末の推定装置。
【０１０７】
（付記１６）
通話中の１又は複数の通信端末から、通話音声情報を受信し、
通信端末から、他の通信端末の通話音声に関するサービスリクエストと、該通信端末のマイクで集音された音声情報を受信し、
前記１又は複数の通信端末の中から、前記通信端末から受信した音声情報が示す音声波形に類似する音声波形を示す通話音声情報を送信した通信端末を特定し、
特定した前記通信端末について前記サービスリクエストに関するカウント値を更新し、
更新された前記カウント値が２以上の所定値以上となった場合に、特定した前記通信端末に対する通知を行う、
処理をコンピュータに実行させる、隣接する通信端末の推定プログラム。
【０１０８】
（付記１７）
通話中の１又は複数の通信端末から、通話音声情報を受信するとともに、
通信端末から、他の通信端末の通話音声に関するサービスリクエストと、該通信端末のマイクで集音された音声情報を受信する受信部と、
前記１又は複数の通信端末の中から、前記通信端末から受信した音声情報が示す音声波形に類似する音声波形を示す通話音声情報を送信した通信端末を特定する特定部と、
特定した前記通信端末について前記サービスリクエストに関するカウント値を更新する更新部と、
更新された前記カウント値が２以上の所定値以上となった場合に、特定した前記通信端末に対する通知を行う通知部と
を有する、隣接する通信端末の推定装置。
【０１０９】
（付記１８）
マイクを有する通信端末のプロセッサに、
通話状態又は非通話状態において前記マイクで集音した音声情報を生成し、
前記音声情報と、前記音声情報に含まれる音声を通話音声として送信する他の通信端末に対する所定の通知の依頼を送信する
処理を実行させる依頼方法。
【０１１０】
（付記１９）
マイクを有する通信端末のプロセッサに、
通話状態又は非通話状態において前記マイクで集音した音声情報を生成し、
前記音声情報と、前記音声情報に含まれる音声を通話音声として送信する他の通信端末に対する所定の通知の依頼を送信する
処理を実行させる依頼プログラム。
【符号の説明】
【０１１１】
１０１  携帯電話端末    １０３  無線基地局
１０５  サーバ装置    ２０１  第１送信部
２０３  第１受信部    ２０５  第１制御部
２０７  通話部    ２０９  受付部
２１１  生成部    ２１３  出力部
２２１  マイク    ３０１  第２送信部
３０３  第２受信部    ３０５  第２制御部
３０７  登録部    ３０９  転送部
３１１  抽出部    ３１３  付加部
３２１  管理テーブル記憶部    ４０１  第３送信部
４０３  第３受信部    ４０５  記憶処理部
４０７  特定部    ４０９  推定部
４１１  選択部    ４１３  通知部
４１５  更新部    ４２１  通話記憶部
４２３  推定テーブル記憶部    ４２５  カウントテーブル記憶部
４２７  端末ＩＤ記憶部
【図１】
2017163509.tif 000003
【図２】
2017163509.tif 000004
【図３】
2017163509.tif 000005
【図４】
2017163509.tif 000006
【図５】
2017163509.tif 000007
【図６】
2017163509.tif 000008
【図７】
2017163509.tif 000009
【図８】
2017163509.tif 000010
【図９】
2017163509.tif 000011
【図１０】
2017163509.tif 000012
【図１１】
2017163509.tif 000013
【図１２】
2017163509.tif 000014